(57)【特許請求の範囲】
【請求項１】
本を形成するための装丁方法であって、
（１）背パネルによって連結された表パネルと裏パネルを有するカバーを用意する手順と、
（２）表側遊び紙と裏側遊び紙を有する本文ブロックを用意する手順と、
（３）背パネルの第１の部分に第１の接着剤部材を付着させる手順と、
（４）背パネルの第２の部分に第２の接着剤部材を付着させる手順と、
（５）表側遊び紙を、表パネル及び背パネルに、表側遊び紙の縁部のみが第１の接着剤部材に直接重なるように接触させる手順と、
（６）裏側遊び紙を、裏パネル及び背パネルに、裏側遊び紙の縁部のみが第２の接着剤部材に直接重なるように接触させる手順と、
（７）背パネルの第１及び第２の部分に対して押圧を加えて、表側遊び紙の縁部のみを表パネルに、裏側遊び紙の縁部のみを裏パネルに、夫々固定する手順と
を含む装丁方法。
【請求項２】
第１の蝶番部と第２の蝶番部が両側にある背部を背パネルが含む、請求項１に記載の装丁方法。
【請求項３】
蝶番部が撓み性のある、請求項２に記載の装丁方法。
【請求項４】
第１及び第２の接着剤部材を第１及び第２の蝶番部に夫々、設置し、且つ付着させる手順を含む、請求項２または３に記載の装丁方法。
【請求項５】
開状態のカバーの表パネル、背パネル及び裏パネルを一平面上に並列する手順を含む、請求項１〜４の何れか１つに記載の装丁方法。
【請求項６】
手順（５）が、（５ａ）本文ブロックの一端部を第１の接着剤部材に位置合わせする副手順と（５ｂ）本文ブロックを表パネルに表側遊び紙の縁部が第１の接着剤部材に接触するように設置する副手順を含む、請求項１〜５の何れか１つに記載の装丁方法。
【請求項７】
手順（６）が、（６ａ）裏パネルを本文ブロックに向かって回転させる副手順と（６ｂ）裏パネルの前端を表パネルの前端に位置合わせする副手順と（６ｃ）裏パネルを裏側遊び紙上に折り重ねる副手順を含む、請求項１〜６の何れか１つに記載の装丁方法。
【請求項８】
第１の接着剤部材が第２の接着剤部材に並行するように位置付けられる、請求項１〜７の何れか１つに記載の装丁方法。
【請求項９】
第１の接着剤部材と第２の接着剤部材が互いに並行に位置付けられる、請求項１〜８の何れか１つに記載の装丁方法。
【請求項１０】
第１及び第２の接着剤部材の各々がアクリル系接着剤のストリップである、請求項１〜９の何れか１つに記載の装丁方法。
【請求項１１】
第１及び第２の接着剤部材の各々は厚みが０．０５ｍｍである、請求項１〜１０の何れか１つに記載の装丁方法。
【請求項１２】
第１及び第２の接着剤部材の各々は幅が１．２ｍｍである、請求項１〜１１の何れか１つに記載の装丁方法。
【請求項１３】
各接着剤部材に裏当て材を設け、該裏当て材が対応する接着剤部材を、その使用が必要となるまで保存するに適したものとする手順を含む、請求項１〜１２の何れか１つに記載の装丁方法。
【請求項１４】
裏当て材を各接着剤部材から、その使用直前に取り除く手順を含む、請求項１３に記載の装丁方法。
【請求項１５】
本文ブロックが、綴じられる未綴じの複数紙を含み、各未綴じ紙が光沢厚紙である、請求項１〜１４の何れか１つに記載の装丁方法。
【請求項１６】
未綴じの複数紙を表側遊び紙と裏側遊び紙の間で揃順、且つ位置合わせして未綴じの、位置合わせパイルを形成する手順を含む、請求項１５に記載の装丁方法。
【請求項１７】
針金又は糸を用いて未綴じパイルを該パイルの一端部に沿って固定して縫合する更なる手順を含む、請求項１６に記載の装丁方法。
【請求項１８】
遊び紙の各々は最小厚みが実質的に１.４ミリメートルである、請求項１〜１７の何れか１つに記載の装丁方法。
【請求項１９】
各遊び紙は合成紙から成る、請求項１〜１８の何れか１つに記載の装丁方法。
【請求項２０】
背部を次の３つの厚み、即ち５ｍｍ、８ｍｍ及び１２ｍｍの少なくとも１つのものとして提供する手順を含む、請求項１〜１９の何れか１つに記載の装丁方法。
【請求項２１】
第１の部分と第２の部分の有る背パネルによって連結された表パネルと裏パネルを有するカバーと、
表側遊び紙と裏側遊び紙を有する本文ブロックと、
背パネルの第１の部分に取り付けられる第１の接着剤部材と、
背パネルの第２の部分に取り付けられる第２の接着剤部材と、
を含み、
表側遊び紙の所定の縁部のみが第１の接着剤部材を介して直接表パネルに取り付けられ、
裏側遊び紙の所定の縁部のみが第２の接着剤部材を介して直接裏パネルに取り付けられて成る装丁本。
【請求項２２】
請求項１〜２０の何れか１つの装丁方法によって製本された装丁本。
【発明の詳細な説明】
【技術分野】
【０００１】
本発明は、印刷物を製本するのに適した装丁方法に関する。本発明は、特に写真に用いられる光沢紙等のような、厚紙の製本に関するものの、それに限定されるものではない。
【背景技術】
【０００２】
製本業においては一般に、未綴じの枚葉紙又は印刷物が固定され、且つ美感を与えるように装丁（製本）されることが望ましい。
【０００３】
未綴じ枚様紙又は印刷物を装丁する従来の試みには次のものがある：
１）   ステッチャーを用いて強力ステープルを未綴じ枚葉紙に貫通させ、他の側でそれ等を本の背に沿って折り曲げる；この方法には、しかし、枚葉紙及び／又はカバーにステッチマークを残すと云う欠点がある。
２）   Ｕ字状バネ材を用いて未綴紙を留め合わせ；この方法にはＵ字状バネ材が極めて目立ち、従って美感を損なうと云う欠点がある。
３）   メルト接着剤を用いて表及び裏側遊び紙を夫々メッシュ１枚を介してカバーに接着する；この方法には、ａ）メッシュは高価な機械の設置を要する、ｂ）メルト接着剤は比較的多孔質の通常の紙では上手く働かないと云う欠点がある。
【発明の概要】
【発明が解決しようとする課題】
【０００４】
本発明の目的は、上記不利点及び欠点を克服又は改良し得る、或いは有用な代替を提供する装丁方法を提供することにある。
【課題を解決するための手段】
【０００５】
本発明の一実施態様によれば、本を形成するための装丁方法であって、次の手順、即ち
（１） 背パネルによって連結された表パネルと裏パネルを有するカバーを用意する手順と、
（２） 表側遊び紙と裏側遊び紙を有する本文ブロックを用意する手順と、
（３） 背パネルの第１の部分に第１の接着剤部材を付着させる手順と、
（４） 背パネルの第２の部分に第２の接着剤部材を付着させる手順と、
（５） 表側遊び紙を表パネルに表側遊び紙の縁部が第１の接着剤部材に重なるように接触させる手順と、
（６） 裏側遊び紙を裏パネルに裏側遊び紙の縁部が第２の接着剤部材に重なるように接触させる手順と、
（７） 背パネルの第１及び第２の部分に対して押圧を加えて、表側遊び紙の縁部を表パネルに、裏側遊び紙の縁部を裏パネルに、夫々固定する手順と
を含む装丁方法が提供される。
【０００６】
本発明は上記又は下記の順序で実施されることを要しないことに留意されるべきである。
【０００７】
好適な実施例における背パネルは、第１の蝶番部と第２の蝶番部が両側にある背部を含む。便宜的には、これ等蝶番部は撓み性(pliable)のあるものとする。好適な実施例において、本発明の方法は第１及び第２の接着剤部材を第１及び第２の蝶番部に夫々、設置し、且つ付着させる手順を含む。
【０００８】
好ましくは、方法は開状態のカバーの表パネル、背パネル及び裏パネルを一平面上に並列する手順を含む。より詳しくは、手順（５）は（５ａ）本文ブロックの一端部を第１の接着剤部材に位置合わせする副手順と（５ｂ）本文ブロックを表パネル上に表側遊び紙の縁部が第１の接着剤部材に接触するように設置する副手順を含む。
【０００９】
好ましくは、方法の手順（６）は（６ａ）裏パネルを本文ブロックに向かって回転させる副手順と（６ｂ）裏パネルの前端を表パネルの前端に位置合わせする副手順と（６ｃ）裏パネルを裏側遊び紙上に折り重ねる副手順を含む。
【００１０】
第１の接着剤部材が第２の接着剤部材の近くに位置付けられることが好ましい。第１の接着剤部材と第２の接着部は互いに並行に位置付けられて良い。好適な実施例においては、第１及び第２の接着剤部材の各々がアクリル系接着剤のストリップである。
【００１１】
好ましくは、第１及び第２の接着剤部材の各々は厚みが実質的に０．０５ｍｍである。より好ましくは、第１及び第２の接着剤部材の各々は幅が実質的に１２ｍｍである。更により好ましくは、各接着剤部材は裏当て材を備え、該裏当て材が対応する接着剤部材を、その使用が必要となるまで保存するに適したものとする。本発明は好ましくは、裏当て材を各接着剤部材から、その使用直前に取り除く手順を含む。
【００１２】
本文ブロックは綴じられる未綴じの複数紙を含むことに言及すべきである。本発明は写真本の製本に用いられるような光沢厚紙を綴じるのに極めて有効であるが、あらゆる種の紙を綴るのに用いることができる。
【００１３】
好ましくは、本方法は未綴じの複数紙を表側遊び紙と裏側遊び紙の間で揃順、且つ位置合わせして、未綴じの位置合わせパイルを形成する手順を含む。より好ましくは、本方法は、針金又は糸を用いて未綴じパイルを該パイルの一端部に沿って固定して縫合する更なる手順を含む。
【００１４】
遊び紙の各々は最小厚みが実質的に１.４ミリメートルであることが好ましい。各遊び紙は合成紙から成って良い。
【００１５】
本発明の背部は、種々の厚みの本ブロックに合うように設計できるものと考えられる。好ましくは、背部は３つの寸法、即ち５ｍｍ、８ｍｍ及び１２ｍｍの１つから選ばれる。背部は、それ自体より薄い厚みの本ブロックを収容可能とすることが求められる。
【００１６】
本発明のもう１つの実施態様によれば、
第１の部分と第２の部分の有る背パネルによって連結された表パネルと裏パネルを有するカバーと、
表側遊び紙と裏側遊び紙を有する本文ブロックと、
背パネルの第１の部分に取り付けられる第１の接着剤部材と、
背パネルの第２の部分に取り付けられる第２の接着剤部材と、
を含み、
表側遊び紙の所定の縁部が第１の接着剤部材を介して表パネルに取り付けられ、裏側遊び紙のもう１つの所定の縁部が第２の接着剤部材を介して裏パネルに取り付けられるようにして成る装丁本が提供される。
本発明は好適な実施例の以下の非限定記載からより良く理解されるであろう。
【図面の簡単な説明】
【００１７】
【図１】本発明の一実施例によってブックカバーとの結合に適したブックブロックの斜視図である。
【図２】接着剤部材による図１のブックブロックとの結合のためのブックカバーの斜視図である。
【図３】図２のカバーを有する装丁本の側面図である。
【発明を実施するための形態】
【００１８】
本発明は写真印刷に用いられるような光沢厚紙の装丁への応用をも目的としているが、本発明はあらゆる種の紙の装丁に用い得ることが指摘されるべきである。
【００１９】
図１を参照して、ブックブロック（本中身；本文ブロック）１０は綴じられようとする多数の未綴じ枚葉紙を含む。ブックブロック１０の準備には、表側遊び紙１４と裏側遊び紙１６の間で未綴じの枚葉紙を揃順、位置合わせして未綴じ位置合わせ紙パイルを形成する初期手順が含まれる。次いで、針金又は糸１１が、縫い機により未綴じ紙パイルを紙パイル背縁１８に沿って縫合するのに用いられる。
【００２０】
ブックブロック１０は本の形成のため、ブックカバー（本カバー）２０に固定されるべきものである。図２に移って、ブックカバー２０は背パネル２６によって連結された表パネル２２と裏パネル２４を有する。ブックカバー２０は２枚の厚紙２８及び３０と背部３２を含み、これ等は全て包みケース３４内にある。本実施例においては、包みケース３４は紙ライナから成る内層３６と布から成る外層３８を含む。
【００２１】
背パネル２６は、撓み性のある材料から成る２つの蝶番部４４及び４６が両側にある背部３２を含む。背部３２は種々の厚みのブックブロックに合うように設計される。背部３２は３つのサイズ、即ち７ｍｍ、９ｍｍ及び１２ｍｍで提供されるものと考えられる。背部３２は、それより薄い厚さのブックブロックを収容することができる。背部３２より実質的に薄いブックブロックを固定する場合、背部３２は固定工程が完了したらある程度の角度まで、弓形に曲るであろう。
【００２２】
ブックブロック１０をカバー２０に固定するのを可能にするため、第１及び第２の接着剤部材４０及び４２が背パネル２６に貼り付けられる。これ等接着剤部材の各々は厚みが略０．０５ｍｍ、幅が略１２ｍｍのアクリル系素材接着剤のストリップである。これはカバー２０が開いた状態で、表パネル２２、背パネル２４及び裏パネル２６を１つの面に並列させ、第１の接着剤部材４０及び第２の接着剤部材４２を夫々、蝶番部４４及び蝶番部４６に付着させることによる。図２に示すように背部３２は、互いに並行して横に並ぶ第１の接着剤部材４０と第２の接着剤部材４２の中間にある。
【００２３】
接着剤部材４０及び４２の各々は、接着剤部材４０、４２を保持する裏当て材４８、５０を有する。使用必要時に、裏当て材４８、５０が接着剤部材４０及び４２の各々から剥がされる。裏当て材４８及び５０が除かれると、接着剤が接着剤部材４０及び４２上に夫々露呈し、従って次の手順が無理なく迅速に行われることになる。
【００２４】
さて図３を参照して、次の手順は表側遊び紙１４を表側遊び紙１４の縁部が第１の接着剤部材４０に重なるように表パネル２２に接触させることである。これは、ブックブロック１０の端部５２（図１も参照）を第１の接着剤部材４０に位置合わせし、ブックブロック１０を、表側遊び紙１４のＡ−Ａ（図１参照）で示す縁部が第１の接着剤部材４０と接触するように表パネル２２上に設置することを要する。そうして、ブックブロック１０は表パネル２２上に戴置される。
【００２５】
固定工程を完了させるため、裏側遊び紙１６を裏側遊び紙１６のＢ−Ｂ（図１参照）で示す縁部が第２の接着剤部材４２に重なるように裏パネル２４に接触させる。これは、裏パネル２４をブックブロック１０に向かって回転させ、裏パネル２４の端部５４を表パネル２２の端部５５に位置合わせし、裏パネル２４を裏側遊び紙１６に折り重ねることによる。接着剤部材４０及び４２と夫々の遊び紙１４及び１６との間の接着を強固にするため、背パネル２６の第１の部分と第２の部分に堅く押圧を加える。
【００２６】
表及び裏側遊び紙１４及び１６の各々は最小厚さが１.４ミリメートルの合成紙から成ることに言及されるべきである。この設計によれば、ブックブロック１０の重量を受けて遊び紙１４及び１６が断裂するのを防止することができる。
【００２７】
本発明の実施態様がある程度詳細に記載されたところで、本装丁方法は少なくとも下記の利点を提供することが当業者に明らかであろう。
１．   適用が簡単で、自らの手で行う種の実用に供する；
２．   装丁部分品を曝さず、美観を与える本の作成ができる；
３．   実施が簡単である。
【００２８】
本明細書に記載の発明が特記したもの以外の変更や修正が可能なことを当業者は理解するであろう。例えば、本発明の方法は特定の順序で行われる必要はない。ブックブロックは一変更例として、表パネルをブックブロックに固定する前に本文ブロックを裏パネルに接着するようにしても良い。そのような変更や修正は、その本質が以上の記載から特定される本発明の、範囲及び精神内で考慮されるべきものである。
【産業上の利用可能性】
【００２９】
本発明の装丁方法は装丁部分品を曝露することなく、美観を与える本の製作のための、自らの手で行える種の実用に供すると云う意味で産業上利用可能である。
【符号の説明】
【００３０】
１０   ブックブロック（本中身；本文ブロック）
１１   ワイヤ又はスレッド
１４   表側遊び紙
１６   裏側遊び紙
１８   背縁
２０   ブックカバー（本カバー）
２２   表パネル
２４   裏パネル
２６   背パネル
２８   厚紙
３０   厚紙
３２   背部
３４   包みケース
３６   紙ライナから成る内層
３８   布から成る外層
４０   第１の接着剤部材
４２   第２の接着剤部材
４４   蝶番部
４６   蝶番部
４８   裏当て材
５０   裏当て材
５２   ブックブロック１０のエッジ部
５４   裏パネル２４の端部
５５   表パネル２２の端部
【図１】
0005856057.tif 000002
【図２】
0005856057.tif 000003
【図３】
0005856057.tif 000004